(57)【要約】【課題】  誤り訂正機能の設定を切り替える事が可能な通信手段を持った装置において、同一のデータを一定時間内に何度も繰り返し受信し印刷を行なわない時に、誤り訂正機能なしの設定を自動的に変更することで、通信上誤り訂正が頻発する場合は確実に受信する手段を提供し、誤り訂正が起こらない場合は転送速度を優先する。【解決手段】  誤り訂正機能の設定を切り替える事が可能な通信手段、受信したデータを格納する保存領域、受信データの情報管理手段、受信データを復号化する手段、復号化したデータを表示する手段を備えた装置とする。【選択図】  図１
2010021940.tif 000002
【特許請求の範囲】
【請求項１】
誤り訂正機能の設定を切り替える事が可能な通信手段と、受信したデータを格納する保存領域と、受信データの情報管理手段と、受信データを復号化する手段と、復号化したデータを表示する手段を備えると共に、
前記表示手段により表示されたデータと同じデータを一定時間内に繰り返し受信している時に、誤り訂正機能の設定を自動的に変更することを特徴とする画像通信装置。
【発明の詳細な説明】
【技術分野】
【０００１】
本発明は、圧縮された画像データなどを機器間で転送する画像通信方法および画像通信装置に関し、送信した画像データに誤りが生じた際に再送を行なうような画像通信方法および画像通信装置に関するものである。
【背景技術】
【０００２】
従来、圧縮された画像データの転送においては、通信上データに誤りが生じた際に画質への影響が広範囲に波及する。そのため、多くの場合、送信データに誤り訂正符号が付加される事が多い。誤り訂正符号が付加されるような通信の場合、送信側は、画像信号を圧縮符号化し、誤り訂正符号化して送信し、再送要求があったデータを再送する機能を有する必要がある。また受信側は、受信したデータの誤り検出を行ない、誤りがある場合は送信側に再送要求を行なっていた。そして、この誤り検出と再送要求により、画像データの転送効率が低下するという問題点があった。しかし、検出された誤りが画質に影響する範囲が広いときのみ誤り部分のデータの再送を行ない、広くないときは再送を行なわない(特許文献１)が知られている。特許文献１によって画像データの伝送効率低下という問題点を解決している。しかしながら、従来の技術では受信側に画像への影響度を数値的に判断する手段を持たなくてはなかった。
【特許文献１】特開平07-322248号公報
【発明の開示】
【発明が解決しようとする課題】
【０００３】
本発明は以上のような状況に鑑みてなされたものであり、画像への影響度を数値的に判断する手段を持たず、かつ画像データの転送効率を低下させないことを目的としている。
【課題を解決するための手段】
【０００４】
上記の目的を達成するために、本発明の画像通信装置は以下の構成からなる。
【０００５】
すなわち、誤り訂正機能の設定を切り替える事が可能な通信手段と、受信したデータを格納する保存領域と、受信データの情報管理手段と、受信データを復号化する手段と、復号化したデータを表示する手段を備える。
【発明の効果】
【０００６】
以上の手段を用いて、同一のデータを一定時間内に何度も繰り返し受信し印刷を行なわない時に、誤り訂正機能なしの設定を自動的に変更することで、通信上誤り訂正が頻発する場合は確実に受信する手段を提供する事が可能になる。
【０００７】
また、誤り訂正が起こらない場合は転送速度を優先する事が可能になる。
【０００８】
更に、表示する手段によって受信したデータを確認できることで、数値的な誤りを判断する処理を加える必要なく使用者の目視による判断で再送を行なう事が可能になる。
【発明を実施するための最良の形態】
【０００９】
次に、本発明の詳細を実施例の記述に従って説明する。
【００１０】
以下、添付図面を参照して本発明の実施形態について詳細に説明する。
【００１１】
なお、実施形態においては、印刷装置としてインクジェットプリンタを例に挙げて説明を行なうが、本発明はこれに限定されることはない。
【実施例１】
【００１２】
図１は本発明の全体概要図である。
【００１３】
本発明に適応可能な印刷装置（１０１）は、携帯端末（１０５）と通信可能なＩ／Ｆデバイス（１０２）、受信した画像を表示する表示デバイス（１０３）印刷開始命令や印刷キャンセル命令としてのキーデバイス（１０４）を備えている。
【００１４】
図２は本発明に適応可能な印刷装置（１０１）の構成図である。
【００１５】
携帯端末（２０１）のＩ／Ｆデバイス（２０２）から送信される圧縮された画像データを、印刷装置（２０３）は、Ｉ／Ｆデバイス（２０４）を介して受信する。このＩ／Ｆデバイスは赤外線通信プロトコルに準拠した赤外線通信である。これらのＩ／Ｆデバイスの通信を制御するのがＩ／Ｆデバイス制御部（２０５）である。このＩ／Ｆデバイス制御部（２０５）では、画像データ通信中に得られる画像の情報（画像サイズ、画像名）などを受信データ管理処理部（２０９）に登録も行なう。
【００１６】
Ｉ／Ｆデバイス（２０２）を介して受信されたデータは、一旦、受信データ格納領域（２０６）に順次格納される。格納されたデータは、データ復号処理部（２０７）により復号化する。復号化された画像データは表示部（２１５）によって表示される。
【００１７】
印刷を行なう場合はキーデバイス（２１６）で印刷開始命令を受信し、表示部（２１５）よりデータ解析部（２０８）へ印刷開始が命令される。データ解析部（２０８）により復号化された画像データの内容を特定単位で処理され、印刷用のデータへ変換される。変換されたデータは、印刷用データ格納領域（２１０）へ格納される。印刷エンジンコントロール部（２１１）は、データ解析部（２０８）からデータ作成完了のタイミングを告知され、作成されたデータを印刷用データ格納領域（２１０）から取得する。印刷エンジンコントロール部（２１１）は、印刷用データに応じて、制御を司る印刷エンジン用のデバイス、印刷デバイス（２１２）、印刷部稼動デバイス（２１３）、用紙制御デバイス（２１４）をコントロールして印刷物を生成する。
【００１８】
また、印刷を行なわない場合はキーデバイス（２１６）で印刷キャンセル命令を受信し、表示部（２１５）よりデータ解析部（２０８）へ印刷キャンセルが命令される。表示部（２１５）は画像の表示を停止し、データ解析部（２０８）は画像が印刷キャンセルされた事を受信データ管理処理部（２０９）に登録する。
【００１９】
以上、説明したように携帯端末（２０１）から圧縮された画像データを受信し復号化したものを表示部（２１５）により表示させ、印刷するか印刷しないかの判断を行なうことが可能な印刷装置の構成である。
【００２０】
次に赤外線通信の通信について説明する。
【００２１】
なお、本実施形態においては、ＩｒＤＡ（Ｉｎｆｒａｒｅｄ  Ｄａｔａ  Ａｓｓｏｃｉａｔｉｏｎ）に準拠した赤外線通信を例に取っているが、誤り訂正、再送要求機能を持った通信であればこれに限定されることはない。
【００２２】
図３は赤外線通信のデータ形式である。スタートコード（ＢＯＦ）、エンドコード（ＥＯＦ）、ヘッダコード（Address Filed/Control Filed/Information Filed）を持ち、これらのデータを決まった計算式で算出したCRCコードを付けて転送を行なっている。
【００２３】
また、図４はヘッダコードの中のControl Filedにおいてパケット番号を管理する管理方法を示したものである。この管理方法では期待している受信パケット番号Vrと違う番号Nsのフレームが届いたときに、期待しているパケット番号Vrを送信データのパケット番号Nrに付加して再送要求することが可能である。
【００２４】
このように赤外線通信においてはデータの誤り訂正としてCRCコードを付加し、それぞれのパケットに番号を付けることで誤りが発生したパケットのみ再送要求を行なう事が可能な通信になっている。しかし、このようなの誤り訂正と再送要求は確認処理に時間がかかり転送効率を低下させる要因になっている。
【００２５】
そこで、誤りがあったとしても再送要求は行なわず転送効率を優先するＩｒＤＡ（Ｉｎｆｒａｒｅｄ  Ｄａｔａ  Ａｓｓｏｃｉａｔｉｏｎ）に基づく制御階層のIrSimpleを用いて転送効率を向上させる方法がある。
【００２６】
このような、再送要求を行なう通常の規格と再送要求を行なわない規格の併用があった場合は、受信側の機器はどちらで通信を開始するか決定する必要がある。
【００２７】
以下、本発明の流れを説明する。
【００２８】
図５は本発明の携帯端末からのデータ受信した時の印刷装置の流れ図である。
【００２９】
印刷装置（２０３）は通信の設定を再送要求なしに決定した上で通信を開始する（Ｓ５０１）。
【００３０】
携帯端末（２０１）は、データを転送する場合に、ＩｒＤＡ（Ｉｎｆｒａｒｅｄ  Ｄａｔａ  Ａｓｓｏｃｉａｔｉｏｎ）に基づく制御階層のＯＢＥＸ（Ｏｂｊｅｃｔ  Ｅｘｃｈａｎｇｅ  ｐｒｏｔｏｃｏｌ）を用いて転送する場合がある。この場合は、オブジェクトの名前やファイルタイプ等の情報を予め交換するので、これらの情報を、印刷装置（２０３）はＩ／Ｆデバイス制御部（２０５）で受信データ管理処理部（２０９）に登録する（Ｓ５０２）。
【００３１】
受信したデータを受信データ格納領域（２０６）に順次格納し（Ｓ５０３）データ復号処理部（２０７）により復号化する（Ｓ５０４）。復号化された画像データは表示部（２１５）によって表示される。（Ｓ５０５）
表示部（２１５）によって表示される一例を図６に示す。画像に乱れが「ある」、「無い」を使用者に判断させ、キーデバイス（２１６）により「印刷を行なう」場合は印刷開始命令を発行する。「印刷を行なわない」場合は印刷キャンセル命令を発行する（Ｓ５０６）。
【００３２】
印刷を行なう場合は（Ｓ５０７）印刷処理後、印刷が行なわれたファイル名の受信データ管理処理部（２０９）の登録内容をクリアする（Ｓ５０８）。
【００３３】
印刷を行なわない場合は（Ｓ５０９）受信データ管理処理部（２０９）に印刷しようとしているファイル名の印刷キャンセルカウンタをアップする（Ｓ５１０）。
【００３４】
この時、初めてのキャンセルの場合はタイマーを起動し（Ｓ５１１）２度目以降のキャンセルの場合は前回のキャンセルからの経過時間を登録する。（Ｓ５１２）
その後、ある一定時間内に同一ファイルが複数回受信し、印刷が行なわれなかった場合に印刷装置（２０３）の通信の設定を変更する。（Ｓ５１３）
【図面の簡単な説明】
【００３５】
【図１】本発明の全体概要図。
【図２】本発明に適用可能な印刷装置の構成図。
【図３】赤外線通信のデータ形式。
【図４】赤外線通信のパケットデータの再送判断。
【図５】本発明の流れ図。
【図６】本発明の表示部例。
【図１】
2010021940.tif 000003
【図２】
2010021940.tif 000004
【図３】
2010021940.tif 000005
【図４】
2010021940.tif 000006
【図５】
2010021940.tif 000007
【図６】
2010021940.tif 000008